(57)【要約】【課題】  前掛け式メガネのフロント部正面に磁石を介して着脱自在に取付けることが出来る前掛けフレームであって、両側に設けたアームに取付けられる磁石が外れ落ちることがないようにした前掛けフレームの提供。【解決手段】  前掛けフレーム２の両側には先端にリング１４，１４を形成したアーム１１，１１を設け、円盤形磁石１２の外周には溝１５を形成すると共に該溝１５にリング１４を嵌入して取付けている。【選択図】    図２
0003115134.tif 000002
【実用新案登録請求の範囲】
【請求項１】
前掛け式メガネのフロント部正面に磁石を介して着脱自在に取付けることが出来る前掛けフレームにおいて、上記前掛けフレームの両側には先端にリングを形成したアームを設け、円盤形磁石外周に溝を形成すると共に該溝にリングを嵌入して取付けたことを特徴とする前掛けフレーム。
【請求項２】
前掛け式メガネのフロント部正面に磁石を介して着脱自在に取付けることが出来る前掛けフレームにおいて、上記前掛けフレームの両側には先端にリングを形成したアームを設け、円盤形磁性体外周に溝を形成すると共に該溝にリングを嵌入して取付けたことを特徴とする前掛けフレーム。
【請求項３】
上記アームを金属製の細い線材にて構成し、リングはアーム先端を曲げ成形した請求項１、又は請求項２記載の前掛けフレーム。
【請求項４】
上記アームを樹脂製とし、リングはアームと共に同時成形した請求項１、又は請求項２記載の前掛けフレーム。
【請求項５】
前掛け式メガネのフロント部正面に磁石を介して着脱自在に取付けることが出来る樹脂製の前掛けフレームにおいて、上記前掛けフレームの両側には先端にリングを形成したアームを設け、円盤形磁石外周にはリブを突出して形成すると共にリング内周面に形成した溝にリブを嵌入して取付けたことを特徴とする前掛けフレーム。
【請求項６】
前掛け式メガネのフロント部正面に磁石を介して着脱自在に取付けることが出来る樹脂製の前掛けフレームにおいて、上記前掛けフレームの両側には先端にリングを形成したアームを設け、円盤形磁性体外周にはリブを突出して形成すると共にリング内周面に形成した溝にリブを嵌入して取付けたことを特徴とする前掛けフレーム。
【考案の詳細な説明】
【技術分野】
【０００１】
本考案は、前掛けフレームをメガネのフロント部正面に安定して取付ける為に、該磁石を備えた前掛けフレームに関するものである。
【背景技術】
【０００２】
従来においても、メガネのフロント部に前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームには幾つかの型式が存在するが、最も代表的な前掛けフレームは磁石を備えたタイプとカギを備えたタイプである。しかし、今日では磁石タイプが支流と成っているが、該磁石を前掛けフレーム側に取付けられ、フロント部に磁石の磁気力を利用して固定される。
【０００４】
図４は従来多用されている一般的な前掛け式メガネを示し、(ａ)はメガネ、(ｂ)は上記メガネ(イ)のフロント部(ハ)に取付けられる前掛けフレーム(ロ)を表している。フロント部(ハ)の両側に設けているヨロイ(ニ)、(ニ)には磁石(ホ)、(ホ)が取着され、前掛けフレーム(ロ)の両側に設けているヨロイ(ヘ)、(ヘ)にも同じく磁石(ト)、(ト)を有している。
【０００５】
そこで、上記前掛けフレーム(ロ)はフロント部(ハ)の正面に重ね合わされ、磁石(ホ)に磁石(ト)が引き付けられて取着される。勿論、磁石(ホ)、(ト)を介して取付けられる前掛けフレームが位置ズレしないように何らかの工夫はされている。実用新案登録第３０８１２７１号に係る「めがね」はこの前掛け式メガネフレームに相当する。
【０００６】
又、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。近年では小さくて強力な磁石が開発され、フロント部(ハ)の両ヨロイ(ニ)、(ニ)に設けている磁石(ホ)、(ホ)を介して前掛けフレーム(ロ)は取付けられる。フロント部(ハ)に取付けられている前掛けフレーム(ロ)は引き離すことで取外すことが出来るが、強力な磁石(ホ)、(ホ)に引っ張られて該前掛けフレーム(ロ)は変形し、同時にフロント部(ハ)も変形する。
【０００７】
図５は特許第２９９７４１８号に係る「着脱眼鏡取付装置」に相当する従来の前掛けフレームにおける磁石取付け構造を示している。図５(ａ)に示すように前掛けフレーム(ロ)の両側部にはアーム(チ)を設け、該アーム(チ)の先端には保持具(リ)を有している。この保持具(リ)に磁石(ト)が嵌って取付けられるが、該磁石(ト)は前掛けフレーム(ロ)の着脱操作時に保持具(リ)から外れ落ちることがある。
【０００８】
図５(ｂ)は保持具(リ)に磁石(ト)を取付けた場合の断面を表している。磁石(ト)は保持具(リ)の内面に塗布した接着剤を介して固定されるが、該接着剤は時間の経過に伴って接着力が低下して該磁石(ト)が外れ落ちてしまう。特に、強力な磁石(ト)であれば、フロント部(ハ)に強力に吸着される為に、該フロント部(ハ)から引き離す際の力で保持具(リ)から離脱する。(ｂ)に示す保持具(リ)は上部に穴が設けられ、この穴に接着剤を塗布して磁石(ト)を固定しているが、この場合も時間の経過による接着剤の劣化にて磁石は外れ落ちる。
【特許文献１】実用新案登録第３０８１２７１号に係る「めがね」
【特許文献２】特許第２９９７４１８号に係る「着脱眼鏡取付装置」
【考案の開示】
【考案が解決しようとする課題】
【０００９】
このように、従来の前掛け式メガネの前掛けフレームの磁石取付け構造には、上記のごとき問題がある。本考案が解決しようとする課題はこれら問題点であって、磁石が外れ落ちることなく安定した取付けが成される前掛けフレームを提供する。
【課題を解決するための手段】
【００１０】
本考案に係る前掛けフレームは、メガネのフロント部に磁石を介して取付けることが出来る構造と成っており、基本的な形態は従来と同じである。使用される磁石形状を円盤形(円柱形)とし、その外周には溝を設けている。そして、該溝を介して前掛けフレームの両側に延びるアーム先端のリングに磁石を取着した構造と成っている。その１つは、前掛けフレーム両側のアームを金属製の線材とした場合、アーム先端を曲げ成形してリングを形成している。そして、このリングを溝に嵌めることで、円盤形磁石が取付けられる。
【００１１】
一方、前掛けフレームが樹脂製である場合にはアームも樹脂製とし、該アーム先端には同じくリングを設けている。そして、このリングに上記磁石が嵌めて取付けられるが、リング内周面にリブを突出し、このリブを磁石外周溝に嵌入する場合、又は逆に磁石外周にリブを設け、このリブをリング内周面に設けた溝に嵌める場合がある。何れの場合も樹脂製リングを加熱した状態で磁石を嵌めることが出来る。一方、アーム及びリングを成形する際に磁石を同時に埋着することも可能である。
【考案の効果】
【００１２】
本考案の前掛けフレームの磁石はその円盤形外周に溝を有し、この溝には金属製線材で成形されたリングが嵌り、又樹脂製前掛けフレームではリング内周面のリブが溝に嵌って取付けられる。従って、磁石は該リングから外れ落ちることはなく、メガネのフロント部に前掛けフレームを掛けることで磁石はフロント部に吸着される。そして、前掛けフレームを外す際に磁石がフロント部側に引かれても、リングから外れない。従来のように接着剤を使用していないために、時間の経過による劣化現象はなく、強力な磁石を使用しても外れ落ちる心配はない。
【実施例】
【００１３】
図１は本考案に係る前掛け式メガネを示す実施例であり、(ａ)は前掛け式メガネの平面図、(ｂ)は前掛け式メガネの正面図、(ｃ)は前掛けフレームの正面図、(ｄ)は前掛け式メガネの側面図を表している。同図において、１はメガネのフロント部、２は前掛けフレームを示し、フロント部１は両リム３，３が連結部材４にて連結され、リム３，３の外側にはヨロイ５，５がロウ付けされ、そしてヨロイ５，５には継手６，６を介してツル７，７が折畳み出来るように取付けられている。又、フロント部１の連結部材４の下側には鼻当てパット８，８が取付けられている。
【００１４】
一方、前掛けフレーム２は両サングラスレンズ９，９が連結部材１０によって連結され、サングラスレンズ９，９の外側にはアーム１１，１１が取付けられている。この前掛け式メガネは前掛けフレーム２がサングラスとし構成され、上記サングラスレンズ９，９はリムに嵌ることなく、連結部材１０にて直接連結され、同じくアーム１１，１１もサングラスレンズ９，９に直接連結している。
【００１５】
リムを持たない前掛けフレーム２は縁なしメガネとして構成され、連結部材４とサングラスレンズ９，９との連結構造は色々あるが、同図に示す前掛けフレーム２では、連結部材４の先端部を穴に挿通して折返すことでサングラスレンズ９，９の外周部を挟み込んでいる。同じくサングラスレンズ９とアーム１１との連結構造も同じく、アーム先端部を穴に挿通して折返すことで外周部を挟み込んでいる。ここで、レンズ表面には連結部材４及びアーム１１の線材が一部係合する溝が形成され、従って両サングラスレンズ９，９は連結部材４に対して向きを変えることなく対称に配置され、同じくアーム１１，１１も対称に位置することが出来る。
【００１６】
そして、上記アーム１１，１１の先端には磁石１２，１２が取付けられ、フロント部１の両側にロウ付けしたヨロイ５，５に設けている別の磁石１３，１３に載って互いに引き合う磁気力が発生して止着されている。ここで、アーム１１及びヨロイ５に取付けている磁石１２，１３のうちで何れか一方を磁石に引かれる磁性体とすることも可能である。
【００１７】
図２は上記アーム１１の先端に磁石１２を取付けた場合を示している。金属製の細い線材で構成しているアーム１１の先端を曲げ成形してリング１４が形成され、このリング１４に磁石１２が取付けられている。磁石１２は概略円盤形を成し、その外周には溝１５が設けられ、該溝１５にリング１４が嵌っている。リング１４は上記溝１５に嵌ると共に磁石１２を締め付けて、該磁石１２はガタ付くことなくリング１４に取付けられている。
【００１８】
図２(ａ)に示すリング１４は一部開口を有しているが、(ｂ)のリング１６は開口を持たないで閉じている。何れのリング形態にしろ、磁石１２の外周溝１５に嵌って該磁石１２を保持している。ここで、該磁石１２の取付け方法は特に限定しないが、(ａ)の場合はリング１４の開口を開いてリング１４に磁石１２を嵌めることが出来、(ｂ)の場合にはリング１６を磁石１２の外周溝１５に巻き付けることが出来る。
【００１９】
図３はアーム１１が樹脂製の場合の実施例であり、該アーム先端には樹脂製リング１７が形成されている。リング１７の内周面にはリブ１８が突出しており、このリブ１８は磁石１２の外周溝１５に嵌合することが出来る。図３(ｂ)はリング１７に磁石１２が嵌った状態の断面図を示しているが、溝１５にリング内周面に突出して形成したリブ１８が嵌合することで該磁石１２はリング１７に固定される。
【００２０】
リング１７に磁石１２を嵌める方法は、該リング１７を加熱した状態で行われ、リング１７が常温に冷却するならばリブ１８が溝１５に嵌合した状態で締め付けられる。又、磁石１２を金型内にセットして射出成形することで、磁石付きリング１７が出来上がる。
【図面の簡単な説明】
【００２１】
【図１】前掛けフレームを備えた前掛け式メガネ。
【図２】磁石を取付けたアームの具体例。
【図３】磁石を取付けたアームの具体例。
【図４】従来の磁石取付け構造。
【図５】接着剤を介しての従来の磁石取付け構造。
【符号の説明】
【００２２】
１  フロント部
２  前掛けフレーム
３  リム
４  連結部材
５  ヨロイ
６  継手
７  ツル
８  鼻当てパット
９  サングラスレンズ
10  連結部材
11  アーム
12  磁石
13  磁石
14  リング
15  溝
16  リング
17  リング
18  リブ
【図１】
0003115134.tif 000003
【図２】
0003115134.tif 000004
【図３】
0003115134.tif 000005
【図４】
0003115134.tif 000006
【図５】
0003115134.tif 000007